(57)【要約】【課題】  本発明は、簡略な構成で安価に架構の剛性量をコントロールできる鉄筋コンクリート造の柱と鉄骨造の梁を備えるラーメン架構を提供する。【解決手段】  鉄筋コンクリート造の柱２の鉄骨造の梁３が取り合う位置に、表面に締結手段１１を備えた接合鋼板６を有する柱梁接合部材４を設置し、該接合鋼板４に備えられた締結手段１１を介して鉄筋コンクリート造の柱２に鉄骨造の梁３をピン接合するラーメン架構１であり、前記梁３が前記柱２の側面に取り合って接合し形成された構面１ａ内には、梁３の下面と柱２の側面を連結するようにハの字状に対をなして方杖１０を設置することで、柱２の何れの高さ位置に前記梁３を接合しても、ラーメン架構１の構面１ａに所望量の剛性を付与することができるものである。【選択図】  図１
2005299139.tif 000002
【特許請求の範囲】
【請求項１】
鉄骨造の梁と鉄筋コンクリート造の柱を備え、該柱の前記梁が取り合う位置に、
前記柱の外周面と同一平面を形成するように配置されて表面に締結手段を備えた接合鋼板、及び該接合鋼板の裏面から突出するように設置されて前記柱に埋設されるアンカー部材を備える柱梁接合部材を配置され、
前記締結手段を介して梁を柱に接合して構築されており、
前記梁が前記柱の側面に取り合って接合し形成された構面内に方杖が、前記柱の側面と前記梁の下端面とを連結するようにハの字状に対をなして設置されることを特徴とするラーメン架構。
【請求項２】
請求項１に記載のラーメン架構において、
前記柱に、その側面と同一平面を形成するように配置される平板状の取り合い板と、該取り合い板の裏面に突出するよう固定され、前記柱に埋設される定着金物とを備える方杖取り合い部材が備えられており、
該方杖取り合い部材の取り合い板に、前記方杖が接合されることを特徴とするラーメン架構。
【発明の詳細な説明】
【技術分野】
【０００１】
本発明は、ラーメン架構に関する。
【背景技術】
【０００２】
従来より、例えば特許文献１に示すように、鉄骨造の柱と梁よりなるラーメン架構の構面内に前記柱と前記梁を連結するように方杖を設置して構面の剛性を高めることで、地震等の水平力や鉛直荷重等が作用した際のラーメン架構の変形を抑制する構成は広く一般に知られている。
【特許文献１】特開平０７−０６２７３５号公報
【０００３】
このような中、より合理的なラーメン架構として前記梁には鉄骨造を用いるものの、前記柱には鉄骨造に代わり鉄筋コンクリート造を用いる合成構造のラーメン架構が考案されている。このような構成は、前記柱に鉄筋コンクリート造を用いることで鉛直方向の軸力剛性を鉄骨造と比較して大幅に高めることができるものである。
【発明の開示】
【発明が解決しようとする課題】
【０００４】
しかし、上述する鉄筋コンクリート造の柱と鉄骨造の梁よりなるラーメン架構の仕口構造は煩雑となりやすいため、施工性に劣るだけでなくコストが増大しやすいといった課題を有している。また、該ラーメン架構には、これを適用する構造物の用途に応じて、例えばラーメン架構に作用する荷重の重量化や階高の増大に伴う応力の増加等に耐えうる剛性を付与できる構成が望まれていた。
【０００５】
上記事情に鑑み、本発明は、簡略な構成で架構の剛性量をコントロールできる鉄筋コンクリート造の柱と鉄骨造の梁を備えるラーメン架構を提供することを目的としている。
【課題を解決するための手段】
【０００６】
請求項１記載のラーメン架構は、鉄骨造の梁と鉄筋コンクリート造の柱を備え、該柱の前記梁が取り合う位置に、前記柱の外周面と同一平面を形成するように配置されて表面に締結手段を備えた接合鋼板、及び該接合鋼板の裏面から突出するように設置されて前記柱に埋設されるアンカー部材を備える柱梁接合部材を配置され、前記締結手段を介して梁を柱に接合して構築されており、前記梁が前記柱の側面に取り合って接合し形成された構面内に方杖が、前記柱の側面と前記梁の下端面とを連結するようにハの字状に対をなして設置されることを特徴としている。
【０００７】
請求項２記載のラーメン架構は、前記柱に、その側面と同一平面を形成するように配置される平板状の取り合い板と、該取り合い板の裏面に突出するよう固定され、前記柱に埋設される定着金物とを備える方杖取り合い部材が備えられており、該方杖取り合い部材の取り合い板に、前記方杖が接合されることを特徴としている。
【発明の効果】
【０００８】
請求項１に記載のラーメン架構によれば、鉄筋コンクリート造の柱の鉄骨造の梁との取り合い位置に柱梁接合部材が備えられており、該柱梁接合部材を構成する接合鋼板に備えられた締結手段を介して前記梁が前記柱に接合されてラーメン架構を構成するから、鉄筋コンクリート造の柱と鉄骨造の梁の取り合い構造は、締結手段を介したピン結合となるため、その構成が簡略で作業性が良く工期を大幅に短縮できるとともに、鉄骨造の梁を有するもの溶接等による加工を不要とするため精度が良くまた工費削減に大きく寄与することが可能となる。
【０００９】
また、前記梁が前記柱の側面に取り合って接合し形成された構面内に、方杖がハの字状に対をなして設置されるから、前記柱の何れの高さ位置に前記梁を接合しても簡略な構成で前記柱と梁により形成された構面に所望量の剛性を付与することができ、該ラーメン架構を何れの用途に用いる構造物にも適用することが可能となる。
【００１０】
したがって、階高の大きい構造物や、物流施設及び倉庫等居住施設と比較して使用時の自重が大きくなりやすい構造物にも、鉄筋コンクリート造の柱と鉄骨造の梁を前記柱梁接合部材で接合したラーメン架構を適用できるから、該ラーメン架構の特徴である施工性が良く低コストで構築できるといったメリットを、より多くの構造物に享受することが可能となる。
【００１１】
なお、方杖は前記ラーメン架構の前記梁が前記柱の側面に取り合って接合し形成された構面内全てに設ける必要はなく、柱と梁の取り合い構造を剛接合としたい構面にのみ設ければよいから、構造物の用途に応じて低コストで所望の剛性を付与できるため、該ラーメン架構を構造物に用いる際の適用範囲を拡大することが可能となる。
【００１２】
したがって、階高の大きい構造物や、物流施設及び倉庫等居住施設と比較して使用時の自重が大きくなりやすい構造物にも、鉄筋コンクリート造の柱と鉄骨造の梁を前記柱梁接合部材で接合したラーメン架構を適用できるから、該ラーメン架構の特徴である施工性が良く低コストで構築できるといったメリットを、より多くの構造物に享受することが可能となる。
【００１３】
請求項２記載のラーメン架構によれば、前記方杖は、鉄筋コンクリート造の柱に備えた方杖取り合い部材の取り合い板に接合されるから、鉄骨造の方杖を簡略な構成で確実に鉄筋コンクリート造の柱に接合することが可能となる。
【発明を実施するための最良の形態】
【００１４】
本発明のラーメン架構を図１に示す。本発明は、鉄筋コンクリート造の柱に、表面に締結手段を備えた接合鋼板を有する柱梁接合部材を設置し、該接合鋼板に備えられた締結手段を介して鉄筋コンクリート造の柱に鉄骨造の梁をピン接合するラーメン架構であり、前記梁が前記柱の側面に取り合って接合し形成された構面内に方杖を設置することで、柱の何れの高さ位置に前記梁を接合しても構面に所望量の剛性を付与することができるものである。
【００１５】
図１に示すように、ラーメン架構１は、鉛直状に立設する複数の柱２と、隣り合う柱２を架け渡すように配置される梁３と、該梁３と柱２の取り合い部に設置される柱梁接合部材４を備えている。前記柱２は、鉄筋コンクリート造よりなり、前記梁３は、鉄骨造によりなるもので、両者は前記柱梁接合部材４を介して接合されている。
【００１６】
前記柱梁接合部材４は、複数のアンカー部材５と接合鋼板６により構成されている。
該接合鋼板６は、隣り合う前記柱２を架け渡すように配置される梁３を前記柱２に接合する際に用いられる締結手段１１を表面に備えたもので、表面が前記柱２の外周面と略同一平面を形成するように配置されている。
【００１７】
また、前記アンカー部材５は、一端を折り曲げ加工されたＪ字型またはＬ字型に成形された鉄筋よりなり、他端を前記接合鋼板６の裏面に固着され、あたかも接合鋼板６の裏面から突出したように設置されている。これらは、前記柱２を構成するコンクリートの内方に埋設されて、前記接合鋼板６を前記梁３に強固に固定するものである。
このような構成の柱梁接合部材４は、前記柱２と前記梁３との取り合い部であれば柱２の何れの位置に設置しても良く、例えば、図１のＡ部に示すように前記柱２の上端面に設置する場合や、図１のＢ部に示すように前記柱２の側面に設置する場合が考えられる。
【００１８】
前記柱２の上端面に設置する場合、図１のＡ部に示すように接合鋼板６は柱２の上端面に配置されるとともに、その表面に備えられた前記締結手段１１は、柱２の上端面より上方に突出するように配置される。これに対して前記梁３は下面を前記接合鋼板６を介して柱２の上端面に載置するよう位置し、前記締結手段１１を介して締結することで両者は接合される。
本実施の形態では、前記締結手段１１にボルトを用いており、前記接合鋼板６の表面より上方に突出するボルトを、あらかじめ前記梁３の下面に設けたボルト孔に貫通させて図示しないナットにより締め付け、両者を接合している。
【００１９】
また、前記柱２の側面に設置する場合、図１のＢ部に示すように接合鋼板６は柱２の側面に配置されるとともに、その表面に備えられた前記締結手段１１は、柱２の側面より水平方向に突出するように配置される。これに対して前記梁３は端面が前記接合鋼板６の表面と対向するように位置しており、前記締結手段１１を介して締結することで両者は接合される。
【００２０】
本実施の形態では、前記締結手段１１にガセットプレートを用いており、前記接合鋼板６の表面より水平方向に突出し鉛直状に立設するガセットプレートを、前記梁３の端部近傍のウェブに面どうしで当接させて、高力ボルト１２等を用いて締め付け、両者を接合している。
このようにして鉄筋コンクリート造の柱２と鉄骨造の梁３は、取り合い部に設置された柱梁接合部材４を介してピン接合され、ラーメン架構１を構成する。
【００２１】
上述する構成のラーメン架構１は、図１のＡ部で示すような前記柱２の上端面が前記梁３との取り合い位置となる場合と比較して、図１のＢ部で示すような前記柱２の側面が前記梁３との取り合い位置となる場合の方が、柱２と梁３より形成される構面１ａの剛性が劣り、構面１ａが変形しやすい。そこで、本実施の形態では、前記梁３が前記柱２の側面に取り合って接合し形成された構面１ａ内に方杖１０を設置している。            
【００２２】
該方杖１０は、鉄骨造により構成されており、図１に示すように前記梁３の下面と前記柱２の側面を連結するように設置され、構面１ａ内でハの字状に対をなして配置されている。これら方杖１０の構面１ａ内への設置構造は何れを用いても良いが、前記梁３は、鉄骨造であるから、その下面で方杖１０が取り合う位置に、鉛直状に立設し方杖１０の延在方向に突出するガセットプレート１３を溶接等の固着手段を介して固着する。該ガセットプレート１３に前記方杖１０のウェブを面どうしで当接して締結手段を介して締結することで、前記梁３に方杖１０は接合する。
一方、前記柱２は鉄筋コンクリート造であるから、本実施の形態では、該柱２に方杖取り合い部材７を備える構成とし、これに方杖１０を接合している。
【００２３】
該方杖取り合い部材７は、鉛直状に立設して方杖１０の延在方向に突出するガセットプレート１３を表面に備える取り合い板８と、一端を折り曲げ加工されてＪ字型またはＬ字型に成形された鉄筋よりなる定着金物９により構成されており、該定着金物９は、他端が取り合い板８の裏面に固着されて、あたかも取り合い板８の裏面から突出したように形成されている。これらは、前記取り合い板８をその表面が前記柱２の側面と同一平面を形成するように配置して定着金物９とともに柱２内に埋設されている。
これら方杖取り合い部材７の取り合い板８に備えられたガセットプレート１３に前記方杖１０のウェブを面どうしで当接して締結手段を介して締結することで、前記柱２に方杖１０は接合する。
【００２４】
なお、方杖取り合い部材７は、前記柱２の側面に取り合い板８を配置できれば上述する構成にこだわるものではなく、例えば図１のＣ部に示すように、前記定着金物９を前記柱２の幅と略同様の部材長に成形して、その両端に対をなしてガセットプレート１３を表面に備える取り合い板８を固着した構成とすれば、柱の対をなす側面両者に取り合い板８を設置することができる。
【００２５】
このように、前記方杖１０も前記柱２と梁３の構面１ａ内にピン接合すれば、簡略な構成で施工性の良いラーメン架構１に設置することができるものである。
なお、方杖１０は前記ラーメン架構１の前記梁３が前記柱２の側面に取り合って接合し形成された構面１ａ内全てに設ける必要はなく、柱２と梁の３取り合い構造を剛接合としたい構面１ａにのみ設ければよい。これにより、構造物の用途に応じてラーメン架構１に低コストで所望の剛性を付与できるため、該ラーメン架構１を構造物に用いる際の適用範囲を拡大できる。
【００２６】
上述する構成によれば、鉄筋コンクリート造の柱２の鉄骨造の梁３との取り合い位置に柱梁接合部材４が備えられており、該柱梁接合部材４を構成する接合鋼板６に備えられた締結手段１１を介して前記梁３が前記柱２に接合されてラーメン架構１を構成するから、鉄筋コンクリート造の柱２と鉄骨造の梁３の取り合い構造は、締結手段１１を介したピン結合となるため、その構成が簡略で作業性が良く工期を大幅に短縮できるとともに、鉄骨造の梁３を有するもの溶接等による加工を不要とするため精度が良くまた工費削減に大きく寄与することが可能となる。
【００２７】
また、前記梁３が前記柱２の側面に取り合って接合し形成された構面１ａ内に、方杖１０がハの字状に対をなして設置されるから、前記柱２の何れの高さ位置に前記梁３を接合しても簡略な構成で前記柱２と梁３により形成された構面１ａに所望量の剛性を付与することができ、該ラーメン架構１を何れの用途に用いる構造物にも適用することが可能となる。
【００２８】
したがって、階高の大きい構造物や、物流施設及び倉庫等居住施設と比較して使用時の自重が大きくなりやすい構造物にも、鉄筋コンクリート造の柱２と鉄骨造の梁３を前記柱梁接合部材４で接合したラーメン架構１を適用できるから、該ラーメン架構１の特徴である施工性が良く低コストで構築できるといったメリットを、より多くの構造物に享受することが可能となる。
【００２９】
また、前記方杖１０を、鉄筋コンクリート造の柱２に備えた方杖取り合い部材７の取り合い板８に前記ガセットプレート１３を介して接合すれば、鉄骨造の方杖１０を簡略な構成で確実に鉄筋コンクリート造の柱２に接合することが可能となる。
【図面の簡単な説明】
【００３０】
【図１】本発明に係るラーメン架構を示す図である。
【符号の説明】
【００３１】
１  ラーメン架構
２  柱
３  梁
４  柱梁接合部材
５  アンカー部材
６  接合鋼板
７  方杖取り合い部材
８  取り合い板
９  定着金物
１０  方杖
１１  締結手段
１２  高力ボルト
１３  ガセットプレート
【図１】
2005299139.tif 000003